(57)【要約】【課題】通勤用に使用されているが昼間の電力需要ピーク時には使用されていない電気自動車等の自動車のバッテリーを利用して、低コストで電力負荷の平準化を図る。【解決手段】本発明は、バッテリーに貯えた電力を、電力会社から電気の供給を受ける電力需要者である事業所における電力需要ピーク時に放出して、電力負荷の平準化を図る。事業所において電力需要非ピーク時に、或いは各自動車所有者の深夜電力を利用して、複数の自動車の各バッテリーを充電し、この充電した自動車のバッテリーに貯えた電力を、事業所において事業所の電力需要ピーク時に放電する。【選択図】      図１
2007282383.tif 000002
【特許請求の範囲】
【請求項１】
バッテリーに貯えた電力を、電力会社から電気の供給を受ける電力需要者である事業所における電力需要ピーク時に放出して、電力負荷の平準化を図る電力負荷平準化方法において、
事業所において電力需要非ピーク時に、或いは各自動車所有者の深夜電力を利用して、複数の自動車の各バッテリーを充電し、
前記充電した自動車のバッテリーに貯えた電力を、事業所において事業所の電力需要ピーク時に放出する、
ことから成る電力負荷平準化方法。
【請求項２】
バッテリーに貯えた電力を、電力会社から電気の供給を受ける電力需要者である事業所における電力需要ピーク時に放出して、電力負荷の平準化を図る電力負荷平準化システムにおいて、
事業所において電力需要非ピーク時に、或いは各自動車所有者の深夜電力を利用して、複数の自動車の各バッテリーを充電するためのＡＣからＤＣへの変換装置と、
前記充電した自動車のバッテリーに貯えた電力を、事業所において事業所の電力需要ピーク時に放出するためのＤＣからＡＣへの変換装置と、
から成る電力負荷平準化システム。
【請求項３】
前記ＡＣからＤＣへの変換装置及び前記ＤＣからＡＣへの変換装置として、ＤＣからＡＣへ或いはＡＣからＤＣに双方向に変換可能の変換器を共通に用いる請求項２に記載の電力負荷平準化システム。
【請求項４】
前記共通に用いる変換器は、外部からの指令により充電モード、放電モード、待機モードの各モードへの切り替えが行われるインバータシステムである請求項３に記載の電力負荷平準化システム。
【請求項５】
Pbuyを電力会社から受電している電力、Pを自動車からの放電電力、Pcontを電力会社との契約電力、そしてPmarginを契約電力を超えないようにするためのマージンとして、
Pbuy＋P ＞ Pcont−Pmargin になった時点で、接続された全ての自動車に放電モード指令を与え、かつ、
Pbuy＋P ＜ Pcont−Pmargin になった時点で、接続された全ての自動車に待機モードへの移行指令を与える請求項４に記載の電力負荷平準化システム。
【発明の詳細な説明】
【技術分野】
【０００１】
本発明は、バッテリーに貯えた電力を、電力会社から電気の供給を受ける電力需要者である事業所における電力需要ピーク時に放出して、電力負荷の平準化を図る電力負荷平準化方法及びシステムに関する。
【背景技術】
【０００２】
「ピークシフト」と呼ばれる電力負荷平準化方法が知られている。「ピークシフト」とは、夜間に電力やエネルギーを貯え、昼間のピーク需要帯にその貯えた電力あるいはエネルギーを放出して昼間ピーク時の所要電力の節減を計るものである。ピーク時必要とされる本来の所要電力の一部が、夜間時等の非ピーク時の電力で補われるため、見かけ上ピークの一部が代替されるという意味で、ピークシフトと呼ばれる。
【０００３】
従来、負荷平準化はバッテリー等の定置型のエネルギー貯蔵装置を設置して、その場所で、夜間に充電して昼間のピーク負荷を削減する方法がとられる。電力会社においては大規模な揚水発電所を設置して、水の汲み上げと水力発電による貯蔵を実現している。特許文献１「電力供給システム及び電力供給方法」では、ネットワークに接続したNASバッテリーをLAN制御により吸放出して負荷平準化する方法が提案されている。また、特許文献２「電源システム」では太陽光発電、電力貯蔵を組み合わせて負荷平準化を行うシステムを提案している。しかしながら、このような従来の負荷平準化システムは、大がかりな設備を必要とし、低コストでは実施できない。
【特許文献１】特開２００５−３３３７５１号公報
【特許文献２】特開平１１−３３２１２８号公報
【発明の開示】
【発明が解決しようとする課題】
【０００４】
電気自動車等の自動車は走行のためにバッテリーにエネルギーを貯蔵している。長距離を走行するときはその貯蔵エネルギーの多くを使うことになるが、日々の通勤等のために使うエネルギーはそれほど多くは無い。通勤用の自動車は、朝夕の通勤時には使用するものの、昼間には使用されていない。一方、電力需要ピークは、一般的には昼間に生じる。
【０００５】
そこで、本発明は、通勤用に使用されているが昼間の電力需要ピーク時には使用されていない電気自動車等の自動車のバッテリーを利用して、低コストで電力負荷の平準化を図ることを目的としている。従来のバッテリーによる負荷平準化に比べて、通常自動車の走行のために用いるバッテリーを流用するもので、バッテリー部分のコストを大幅に削減できる。
【課題を解決するための手段】
【０００６】
本発明の電力負荷平準化方法は、バッテリーに貯えた電力を、電力会社から電気の供給を受ける電力需要者である事業所における電力需要ピーク時に放出して、電力負荷の平準化を図る。事業所において電力需要非ピーク時に、或いは各自動車所有者の深夜電力を利用して、複数の自動車の各バッテリーを充電し、この充電した自動車のバッテリーに貯えた電力を、事業所において事業所の電力需要ピーク時に放電する。
【０００７】
また、本発明の電力負荷平準化システムは、バッテリーに貯えた電力を、電力会社から電気の供給を受ける電力需要者である事業所における電力需要ピーク時に放出して、電力負荷の平準化を図る。そして、本発明は、事業所において電力需要非ピーク時に、或いは各自動車所有者の深夜電力を利用して、複数の自動車の各バッテリーを充電するためのＡＣからＤＣへの変換装置と、前記充電した自動車のバッテリーに貯えた電力を、事業所において事業所の電力需要ピーク時に放電するためのＤＣからＡＣへの変換装置とを備える。
【０００８】
このＡＣからＤＣへの変換装置及びＤＣからＡＣへの変換装置として、ＤＣからＡＣへ或いはＡＣからＤＣに双方向に変換可能の変換器を共通に用いることができる。この共通に用いる変換器は、外部からの指令により充電モード、放電モード、待機モードの各モードへの切り替えが行われるインバータシステムである。
【０００９】
Pbuyを電力会社から受電している電力、Pを自動車からの放電電力、Pcontを電力会社との契約電力、そしてPmarginを契約電力を超えないようにするためのマージンとして、Pbuy＋P ＞ Pcont−Pmargin になった時点で、接続された全ての自動車に放電モード指令を与え、かつ、Pbuy＋P ＜ Pcont−Pmargin になった時点で、接続された全ての自動車に待機モードへの移行指令を与える。
【発明の効果】
【００１０】
本発明は、将来普及が予想されている電気自動車や現在普及が急速に進展しているハイブリッド型の自動車に搭載されたバッテリーを移動体の電力貯蔵と考えて、勤務先において電力需要の少ない朝とか、或いは家庭において深夜電力を利用してエネルギーを貯蔵し、それを事業所などの昼間多くの自動車が集まり停車しているところで放出して負荷平準化を行うことにより、事業所としては契約電力を減らせることになり、また、グローバルに見ると夜間の原子力主体の電気エネルギーを貯蔵して昼間の火力発電を減じることにつながるために、二酸化炭素の削減にも役立つことになる。
【発明を実施するための最良の形態】
【００１１】
以下、例示に基づき、本発明を説明する。図１（Ａ）、（Ｂ）は、本発明を具体化する負荷平準化システムの第１の例を示す図である。図示の負荷平準化システムは、事業所で自動車のバッテリーを充電し、かつ事業所で放電を行う。なお、本明細書において、「事業所」とは、電力会社と契約電力を取り決めて、電気の供給を受ける電力需要者を意味している。図示のシステムは、昼間に駐車場に止めてある電気自動車のバッテリーから事業所に対して電力を供給して負荷平準化を行い、翌朝に負荷平準化に貢献した自動車に対して、事業所で充電のサービスを行うものである。図示のインバータは、ＤＣからＡＣへ、或いはＡＣからＤＣに双方向に変換可能の変換器である。負荷平準化前後の日負荷曲線のイメージとしては、図２に示すようになる。図示したように、前日の需要ピーク時に、バッテリーから放電し、かつ、この放電したバッテリーに対して翌朝充電する。
【００１２】
図３は、図１（Ａ）に示す負荷平準化システムの昼間の動作を説明する図である。事業所に到着した自動車は、そのバッテリーを、ＤＣ/ＡＣ双方向変換可能のインバータを介して駐車場コンセント群のＡＣ１００Vに接続する。このインバータは、電気自動車に備えられているインバータシステム（詳細は図６を参照して後述する）を利用することができるし、或いは、駐車場に設備として備えることもできる。バッテリーをコンセントに接続した時点では、充放電を行わない待機モード（P＝0）である。受電電力の最大電力（デマンド値）を、所定値以下に抑えるように制御するためのデマンド計算は、３０分程度の間隔で行えば十分であり、この場合、以下の切り替えは、デマンド計算より早く、例えば１５分間隔で行う。
【００１３】
Pbuy＋P ＞ Pcont−Pmargin になった時点で、接続された全ての自動車に放電モード指令を与える。充電が十分でない自動車は個別に待機モードに切り替わる。ここで、Pbuy：電力会社から受電している電力、P：自動車からの放電電力であり、各自動車の合計から損失を差し引いたもの（P＝P1＋P2＋・・・＋Pn−損失）、Pcont：電力会社との契約電力、Pmargin：契約電力を超えないようにするためのマージンである。
【００１４】
また、Pbuy＋P ＜ Pcont−Pmargin になった時点で、接続された全ての自動車に待機モードへの移行指令を与える。
【００１５】
図４（Ａ）、（Ｂ）は、本発明を具体化する負荷平準化システムの第２の例を示す図である。図示の負荷平準化システムは、家庭の深夜電力を利用して自動車のバッテリーを充電し、かつ事業所で放電を行う。このシステムは、家庭用の深夜電力を利用して負荷平準化を行うものである。電気自動車の所有者が帰宅して、自動車に備えられているＤＣ/ＡＣ双方向変換可能のインバータを介して、家庭用の深夜電力でバッテリーに充電し、翌日事業所で負荷平準化に貢献してもらうというものである。自動車にインバータが備えられていない場合は、ＡＣからＤＣへの整流装置（コンバータ）を備える。
【００１６】
図５は、図４（Ａ）に示す夜間の充電動作を説明する図である。図示したように、夜間、深夜電力を利用してフル充電レベルまで充電を行う。自動車に備えられているＤＣ/ＡＣ双方向変換可能のインバータをＡＣ100Vコンセントへ接続して、充電開始スイッチ（インバータを充電モードにするためのスイッチ）を押すことにより充電を開始し、フル充電を検出して待機モードになる。
【００１７】
図６は、電気自動車におけるインバータシステムを説明する図である。電気自動車のバッテリーからＤＣ/ＡＣ双方向変換可能のインバータを介し、１００Vコンセントに接続できる構成となっている。充電電力及び放電電力は、それぞれ一定値になるように制御される。外部からの指令により充電モード、放電モード、待機モードの各モードへの切り替えが行われる。バッテリーの状態を見ながら予め定めた蓄電レベルの上下限と比較し過充電時或いは過放電時には動作を停止する保護機能を備える。
【００１８】
なお、電気自動車のバッテリーの充電および放電を行うための電力変換設備を安価に実現するために、現在、プラグインハイブリッド自動車という名称で、ハイブリッド自動車の電気エネルギーを深夜電力によって蓄えようと言うコンセプトが発表されている。このときのコンバータを改良することにより、事業所等での放電が可能なインバータを安価に実現できる。
【実施例１】
【００１９】
本発明による負荷平準化には、各自動車に積まれているバッテリーを利用する。そこで、ガソリン車，ハイブリッドカー，電気自動車のそれぞれの自動車に積まれているバッテリーがどれくらいのエネルギーを持っているかについて検討する。ガソリン車は、バッテリー容量が40[Ah],12[V]のもの（軽自動車〜1000cc程度の自動車）、ハイブリッドカーに関しては6.5[Ah]，210.6[V]のバッテリー容量、電気自動車に関しては95[Ah]，288[V] のバッテリー容量を例にとり検討する。フル充電状態の時のバッテリーが持つエネルギーは次の式で求められる。
【００２０】
エネルギー（電力量）［Wh］＝バッテリー容量［Ah］×バッテリー電圧［V］  （１）
例えば、バッテリーが持つフル充電時のエネルギーの20％分のエネルギーを負荷平準化に使用するとして、自動車種別ごとにエネルギーを求める。
【００２１】
ガソリン車：        40×12×0.2＝96［Wh］                            （２）
ハイブリッドカー：  6.5×210.6×0.2＝262［Wh］                      （３）
電気自動車      ：  95×288×0.2＝5472［Wh］                        （４）
以上の結果を見てもわかるように、ガソリン車から電気自動車になるにつれてバッテリーは大きなエネルギーを持つ。例えば、100kWhのエネルギーを供給することを考えると、ガソリン車では約1040台、ハイブリッドカーでは約380台、電気自動車では約20台必要ということになる。
【実施例２】
【００２２】
電気料金の算出を行い、負荷平準化前と比べていくら電気料金を削減できるかについて検討する。電力量料金は、電気契約の種類により異なるが、以下、産業用電力を例として述べる。産業用電力とは、高圧，特別高圧で電気の供給を受けて動力（付帯電灯を含む）を使用する需要である。
【００２３】
ここでは、九州工業大学戸畑キャンパスを対象として、図１を参照して説明した負荷平準化システムについてシミュレーションを行う。九州工業大学戸畑キャンパスは、産業用電力の標準電圧6000ボルトで九州電力と契約している。用いた日負荷データは、2004年度のものを使用する。
【００２４】
このシステムは、前述したように、昼間に負荷平準化をし、かつ、負荷平準化に貢献した自動車には、翌朝事業所（九州工業大学戸畑キャンパス）で充電サービスを行うものである。使用するバッテリーはガソリン車，ハイブリッドカー，電気自動車のバッテリーを用いる。シミュレーションの仕方であるが、2004年度の契約電力は2000kWであったので、契約電力を50kWずつ減らしていき、どこまで契約電力を削減できるかを検討し、その時に必要な自動車の台数をガソリン車，ハイブリッドカー，電気自動車に分けて算出する。
【００２５】
図７は、充放電について説明する概念図である。図示したように、電源からインバータを介してのバッテリーへの充電効率を、例えば90％とし、かつ、バッテリーからインバータを介して負荷への放電効率を、例えば９０％とする。この場合、負荷平準化に使用した電力量を81％で割った電力量を充電することで、バッテリーからもらった分の電力量は返せる。
【００２６】
(i)受電電力ピークを1950kWにまで削減
図８に負荷平準化前後の日負荷曲線を示した。また、図９，及び図１０は、それぞれ図８の一部を拡大したものである。この時負荷平準化に使用した電力量は70[kWh]であった。バッテリーの充放電効率が81％としているので、効率分を考え翌朝電気自動車に充電する電気量は86.4[kWh]とする。負荷平準化を行ったときの最大電力（デマンド値）は71[kW]であったので、充電する時の最大電力も71[kW]として充電した。また、この時負荷平準化に必要とした自動車の台数をまとめると、図１１のようになる。
【００２７】
(ii)受電電力ピークを1900kWにまで削減
同様に、1900kWに負荷平準化するために使用した電力量は208.5[kWh]であった。バッテリーの充放電効率81%を考えた翌朝に電気自動車に充電する電気量は257.4[kWh]である。負荷平準化を行ったときの最大電力（デマンド値）は121[kW]であったので、充電する時の最大電力も121[kW]として充電した。この場合は充電時間内に257.4[kWh]を充電できなかった。そこで、充電時間を午前8時半から午前11時までと30分充電時間を延ばした。この時は時間内に257.4[kWh]充電することができた。
【００２８】
(iii)電気料金の削減
次に、契約電力を1900kW程度まで下げた場合、負荷平準化する前と比べて年間いくら削減できるかについてまとめたものを図１２及び図１３に示した。
【００２９】
図１２に契約電力ごとの1年間の基本料金を示し、図１３には契約電力ごとの1年にかかる電力量料金を示した。負荷平準化前2004年度の契約電力は2000kWであったので、契約電力を下げることにより、基本料金を下げることができる。但し、電力量料金は、わずかではあるが増えることになる。これは、負荷平準化した分の電力量をバッテリーの充放電効率を考えて充電しているためである。トータル的には、契約電力を減らすことが電気料金削減につながっている。
【００３０】
なお、上述したような自動車のバッテリーを用いた電力貯蔵システムは、停電補償の役割を担うことも出来る。約５０台程度の電気自動車を使用して、各バッテリーから容量の10％を使用すれば、停電後から3時間自動車用のバッテリーから、100kW補償することが可能となる計算になる。もちろん使用する自動車の台数により、バッテリーの使用容量を増やしたり減らしたり出来る。
【図面の簡単な説明】
【００３１】
【図１】本発明を具体化する負荷平準化システムの第１の例を示す図である。
【図２】負荷平準化前後の日負荷曲線を示すグラフである。
【図３】図１（Ａ）に示す負荷平準化システムの昼間の動作を説明する図である。
【図４】本発明を具体化する負荷平準化システムの第２の例を示す図である。
【図５】図４（Ａ）に示す夜間の充電動作を説明する図である。
【図６】電気自動車におけるインバータシステムを説明する図である。
【図７】充放電について説明する概念図である。
【図８】負荷平準化前後の日負荷曲線を示すグラフである。
【図９】図８の一部を拡大したグラフである。
【図１０】図８の一部を拡大したグラフである。
【図１１】負荷平準化に必要とした自動車の台数をまとめた表である。
【図１２】契約電力ごとの1年間の基本料金を示す表である。
【図１３】契約電力ごとの1年にかかる電力量料金を示す表である。
【図１】
2007282383.tif 000003
【図２】
2007282383.tif 000004
【図３】
2007282383.tif 000005
【図４】
2007282383.tif 000006
【図５】
2007282383.tif 000007
【図６】
2007282383.tif 000008
【図７】
2007282383.tif 000009
【図８】
2007282383.tif 000010
【図９】
2007282383.tif 000011
【図１０】
2007282383.tif 000012
【図１１】
2007282383.tif 000013
【図１２】
2007282383.tif 000014
【図１３】
2007282383.tif 000015